(57)【要約】      （修正有）【課題】標準的なコネクタに適合可能な、設定変更可能なキーイングシステムを提供する。【解決手段】第一の電気ケーブルの一端に組み立てられるレセプタクル３と、第二の電気ケーブルの端で組み立てられ、またレセプタクル３に接続されるように設計されるプラグ４とを有するコネクタのキーイングシステムにおいて、前記システムは、少なくとも部分的にレセプタクル３の周りに組み立てられることができ、また、複数のガイドノッチＰ１およびキーイング収納部１２を有する、少なくとも一つのコーディングリングと、プラグ４に取り付けられることができ、また、コーディングリングのキーイング収納部１２の中に挿入されることができるキーイングラグ２２を有する、少なくとも一つのキーイングプレート２とを有する。【選択図】図６Ａ
2013089605.tif 000002
【特許請求の範囲】
【請求項１】
コネクタのキーイングシステムであって、第一の電気ケーブルの一端に組み立てられたレセプタクル（３）と、第二の電気ケーブルの端で組み立てられ、またレセプタクルに接続されるように設計されたプラグ（４）とを有し、以下を有することを特徴とする、コネクタのキーイングシステム：
−少なくとも部分的にレセプタクル（３）の周りに組み立てられることができ、また、複数のガイドノッチ（Ｐ）およびキーイング収納部（１２）を有する、少なくとも一つのコーディングリング（１）
−プラグ（４）に取り付けられることができ、また、コーディングリング（１）のキーイング収納部（１２）の中に挿入されることができるキーイングラグ（２２）を有する、少なくとも一つのキーイングプレート（２）。
【請求項２】
コーディングリング（１）のガイドノッチ（Ｐ）が、キーイング収納部の両側の、二つの向かい合った列に位置付けられることを特徴とする、請求項１に記載のキーイングシステム。
【請求項３】
ガイドノッチ（Ｐ）の各列が、四つのガイドノッチ（Ｐ１−Ｐ４、Ｐ５−Ｐ８）を含み、該四つのガイドノッチのそれぞれが、反対側の列のガイドノッチと向かい合って位置付けられることを特徴とする、請求項２に記載のキーイングシステム。
【請求項４】
コーディングリング（１）が、二つの反対にした配置（Ａ、Ｂ）に設定することができ、したがって八つの可能なコーディングシステムを提供することを特徴とする、請求項３に記載のキーイングシステム。
【請求項５】
キーイングプレート（２）が、中心穴（２１）を有し、該中心穴が、固定具（５）を受けることができ、またキーイングラグ（２２）と一列に並ぶことを特徴とする、請求項１から４のいずれか一つに記載のキーイングシステム。
【請求項６】
少なくとも二つのキーイングプレート（２ａ、２ｂ）を有し、前記プレートのそれぞれのキーイングラグ（２２）が、中心穴（２１）から異なる距離のところに位置決めされることを特徴とする、請求項５に記載のキーイングシステム。
【請求項７】
各プレート（２ａ、２ｂ）が、第一の方向あるいは第二の方向に向かって取り付けられることができ、こうしてキーイングラグ（２２）に、プラグ（４）の一側面につき二つの可能な位置を提供することを特徴とする、請求項５または６に記載のキーイングシステム。
【請求項８】
コーディングリング（１）が円形状であることを特徴とする、請求項１から７のいずれか一つに記載のキーイングシステム。
【請求項９】
請求項１から８のいずれか一つに記載のキーイングシステム、およびレセプタクル（３）とプラグ（４）を有することを特徴とする電気コネクタ。
【請求項１０】
請求項９に記載のコネクタへのキーイングシステムの取り付け方法であって、以下の作業を行うことにあることを特徴とする方法：
−コーディングリング（１）をコネクタレセプタクル（３）の周りに組み立てる、
−コーディングリングを選択した構造（Ｐ１−Ｐ８）にしたがって回転させる、
−選択した構造に合うように適合するキーイングストリップ（２）を選択する、
−選択したキーイングストリップ（２）を、選択した構造に合うように適合する方向において、コネクタプラグ（４）に取り付ける、
−キーイングプレートのキーイングラグ（２２）がコーディングリング（１）のキーイング収納部（１２）の中に挿入されるように、プラグ（４）をレセプタクル（３）に接続する。
【発明の詳細な説明】
【技術分野】
【０００１】
本発明は、電気コネクタに組み立てられるために設計された、設定変更可能なキーイングシステムに関するものであり、このシステムは、コネクタプラグとレセプタクルとの間の複数のコーディング可能なシステムを提供するものである。
【０００２】
本発明はまた、そのようなキーイングシステムを取り付けるための方法にも関しており、このシステムは標準的なコネクタへの取り付けに適したものである。
【０００３】
本発明は、電気コネクタを使用する多数のさまざまな分野で適用されることができる。本発明はより具体的に言うと、例えば原子力の分野のような過酷な環境において、また特に廃棄物処理施設のために適用されることができる。
【背景技術】
【０００４】
コネクタの分野において、とりわけ原子力発電所で使用されるコネクタの分野において、コネクタプラグが、特定のレセプタクルに接続されるように設計されることが重要である。実際に、原子力発電所において、コネクタを構成する二つの要素（レセプタクルおよびプラグ）の接続は、これらの要素への接近が困難でかつ視界が悪いという難しい状況において、大抵は成される。したがって、同一の接続アセンブリのプラグとレセプタクルが正確に接続されること、そしてアセンブリプラグが異なるアセンブリのレセプタクルに接続され得ないことが、保証されるべきである。
【０００５】
これを達成するために、各接続アセンブリ（レセプタクルおよびプラグ）は、普通は識別手段を備えているが、該識別手段は、あるプラグが任意のレセプタクルに接続されることを防ぎ、そのプラグ用に設計された特定のレセプタクルに接続されることを許可するものである。コネクタの分野において広く利用される識別手段は、キーである。「キー」とは、組立エラー、取り付けエラー、あるいは接続エラーを防ぐための機械的装置である。キーは、通常、コネクタ要素の一つの中に作られた収納部と、前記コネクタのもう一つの要素の上に組み立てられたラグから成るが、該ラグは、二つのコネクタ要素が正確に接続されるとき、収納部の中に挿入されることができるものである。
【０００６】
しかしながら、多数の接続を用いた取り付けに関して、各々のプラグが対応したレセプタクルに正しく接続されることを保証するために、それぞれの接続アセンブリは、異なるキーを備えなければならない。例えば、八つの接続アセンブリを取り付けするために、八つの異なるキーが必要であるが、該八つの異なるキーは、十六個の異なるプラグとレセプタクルのレファレンスを意味する。この取り付けを担当しているオペレーターは、したがって、十六の異なるレファレンスをその納入業者に注文しなければならず、それにはそれに関連して起こるあらゆる手違いのリスクが伴うことになる。レファレンスナンバーが正確に記入されなかったりあるいは注文したプラグやレセプタクルが入手不可能な場合、システムを構成する八つの接続は、延期されなければならず、それが原因になり得る時間と費用の観点において関連するあらゆる影響が伴うことになる。
【発明の概要】
【発明が解決しようとする課題】
【０００７】
この発明の目的は、前述の技術の不都合を克服することである。このために、本発明はあらゆるタイプの標準的なコネクタに適合可能な、設定変更可能なキーイングシステムに関している。
【課題を解決するための手段】
【０００８】
本発明のキーイングシステムは、キットの形を呈しており、該キットはレセプタクルへの組立用に設計されたコーディングリングと、プラグへの組立用に設計されたキーイングプレートとを有する。キーイングプレートは、複数の異なる位置に取り付け可能なキーイングラグを有する。コーディングリングは、キーイングプレートと協働して多数の異なるキーイング構造を作り出すために、多数のガイドノッチと関連付けられるキーイング収納部を有する。
【０００９】
さらに具体的に言うと、本発明は、第一の電気ケーブルの一端に組み立てられるレセプタクルと、第二の電気ケーブルの端で組み立てられ、またレセプタクルに接続されるように設計されるプラグとを有する、コネクタのキーイングシステムに関している。このシステムは、該システムが以下を有するということによって特徴付けられる：
−少なくとも部分的にレセプタクルの周りに組み立てられることができ、また、複数のガイドノッチＰおよびキーイング収納部を有する、少なくとも一つのコーディングリング、
−プラグに取り付けられることができ、また、コーディングリングのキーイング収納部の中に挿入されることができるキーイングラグを有する、少なくとも一つのキーイングプレート。
【００１０】
有利には、このシステムは、既存のコネクタに取り付けることができる。有利には、このシステムはまた、同じキットの範囲内で複数の異なるキーイング構造を提供することもできる。
【００１１】
本発明のシステムは、以下の特徴の一つあるいは複数を有することができる：
−コーディングリングのガイドノッチＰは、キーイング収納部の両側の、二つの向かい合った列に位置付けられる。
−ガイドノッチＰの各列は、四つのガイドノッチを含み、該四つのガイドノッチのそれぞれは、反対側の列のガイドノッチと向かい合って位置付けられる。
−コーディングリングは、二つの反対にした配置に設定することができ、したがって八つの可能なコーディングシステムを提供している。
−キーイングプレートは、中心穴を有し、該中心穴は、固定具を受けることができ、またキーイングラグと一列に並ぶものである。
−該システムは、少なくとも二つのキーイングプレートを有し、前記プレートのそれぞれのキーイングラグは、中心穴から異なる距離のところに位置決めされる。
−各プレートは、第一の方向あるいは第二の方向に向かって取り付けられることができ、こうしてキーイングラグに二つの可能な位置を提供している。
−コーディングリングは円形状である。
【００１２】
本発明はまた、本発明の前述のキーイングシステムを備えるコネクタにも関している。
【００１３】
本発明はまた、このキーイングシステムの取り付け方法にも関している。この方法は、以下の作業を有する：
−コーディングリングをコネクタレセプタクルの周りに組み立てる、
−コーディングリングを選択した構造にしたがって回転させる、
−選択した構造に合うように適合するキーイングストリップを選択する、
−選択したキーイングストリップを、選択した構造に合うように適合する方向において、コネクタプラグに取り付ける、
−キーイングプレートのキーイングラグがコーディングリングのキーイング収納部の中に挿入されるように、プラグをレセプタクルに接続する。
【図面の簡単な説明】
【００１４】
本発明は、以下の説明を読んだ後に、また付属の図面を吟味した後に、よりよく理解されるであろう。これらの図面は、単に説明することを目的としているだけであり、本発明の範囲を制限することを目的とするものではない。
【００１５】
【図１】本発明のシステムのコーディングリングの斜視図を示す。
【図２Ａ】図１のコーディングリングの、コネクタレセプタクルへの組立の斜視図を示す。
【図２Ｂ】図１のコーディングリングの、コネクタレセプタクルへの組立の斜視図を示す。
【図３】本発明による一組のキーイングプレートの正面図を示す。
【図４】図３のプレートが上に組み立てられるコネクタプラグの斜視図を示す。
【図５Ａ】本発明のキーイングシステムを用いて得ることができるさまざまなキーイング構造を示す。
【図５Ｂ】本発明のキーイングシステムを用いて得ることができるキーイング構造を示す。
【図５Ｃ】本発明のキーイングシステムを用いて得ることができるキーイング構造を示す。
【図５Ｄ】本発明のキーイングシステムを用いて得ることができるキーイング構造を示す。
【図５Ｅ】本発明のキーイングシステムを用いて得ることができるキーイング構造を示す。
【図５Ｆ】本発明のキーイングシステムを用いて得ることができるキーイング構造を示す。
【図５Ｇ】本発明のキーイングシステムを用いて得ることができるキーイング構造を示す。
【図５Ｈ】本発明のキーイングシステムを用いて得ることができるキーイング構造を示す。
【図５Ｉ】本発明のキーイングシステムを用いて得ることができるキーイング構造を示す。
【図６Ａ】本発明によるキーイングシステムを備えたコネクタの例を示す。
【図６Ｂ】本発明によるキーイングシステムを備えたコネクタの例を示す。
【図７】本発明によるキーイングシステムを備えたコネクタの例を示す。
【発明を実施するための形態】
【００１６】
本発明のキーイングシステムは、既存の標準的なコネクタに合うように設計されたキットまたはアセンブリの形を呈する、設定変更可能なシステムである。
【００１７】
このキットは、少なくとも一つのコーディングリングおよび一つのキーイングプレートを有する。以下に記述される本発明の好ましい実施態様において、キットは、一つのコーディングリングおよび二つのキーイングプレートを有する。各プレートは、それぞれのプレートで異なる位置に位置決めされたキーイングラグを有する。各コーディングリングは、キーイング収納部の両側に位置決めされた複数のガイドノッチを有する。コーディングリングと協働するこれらのキーイングプレートは、１６種類の異なるキーイング構造を提供する。
【００１８】
とはいえ、キットがただ一枚のプレートを含むことができること、あるいは、他方では、各プレート上で異なる位置に位置決めされたキーイングラグをそれぞれが備えている多数のプレートを含むことができることが理解される。同様に、キットは、複数のコーディングリングを含むことができるが、各リングは、キーイング収納部と関連してさまざまな位置に位置付けされたガイドノッチを有している。キットを構成するキーイングプレートの数およびコーディングリングの数を変えることによって、このキットによって提供可能なキーイング構造の数を、識別を必要とするコネクタの数に一致させるように適合することができる。
【００１９】
図１は、本発明の好ましい実施態様によるコーディングリングの一例を示している。このコーディングリング１は、中が空洞の要素であって、コーディングリングが上に組み立てられるべきレセプタクルに合うように設計された形状をもつ壁１１を有している。このコーディングリングは、例えば金属製あるいは熱可塑性の材料で作られることができる。
【００２０】
このコーディングリング１は、レセプタクルと向かい合って位置付けされるように設計された内側面１３と、内側面１３の反対側にあり、コネクタプラグに近接して位置付けされるように設計された、外側面１４とを有する。
【００２１】
本発明の好ましい実施態様において、壁１１は、円形状であり、標準的なコネクタレセプタクルに合うように適合された直径をもつ。この壁１１は、キーイング収納部１２を備えている。この収納部１２は、細長い形状であり、コーディングリングの外側面１４上に開かれている。以下により詳細に記述されるように、このキーイング収納部１２は、キーイングラグを収納するために設計されている。
【００２２】
コーディングリングの壁１１はまた、前記壁の輪郭に沿って予め決められた順番で割り当てられた、Ｐ１からＰ８に参照される複数のガイドノッチも有する。本発明の好ましい実施態様において、八つのガイドノッチＰ１からＰ８は、キーイング収納部１２の両側に四つずつ二つの列で位置づけされる。すなわち、Ｐ１からＰ４までが収納部１２の右側、そしてＰ５からＰ８までが前記収納部１２の左側にあり、図１および図５Ｂから図５Ｉに示される通りである。ガイドノッチＰ１からＰ４およびＰ５からＰ８のこれら二つの列は、収納部１２に対して対称的に、互いに向かい合って位置付けされることができる。好ましくは、これらのガイドノッチは、壁の輪郭に沿ってＰ１とＰ２、Ｐ３とＰ４、Ｐ５とＰ６、そしてＰ７とＰ８の対で位置付けされ、それぞれの対との間の距離は二つのガイドノッチ間の距離を超える距離である。
【００２３】
図１のコーディングリング１は、図２Ａおよび２Ｂで示されるような標準的なレセプタクル３への組立のために設計される。より正確には、コーディングリング１は、コーディングリングを、レセプタクル３の突出壁３０および３１に沿ってスライドさせることによって組み立てられる。コーディングリング１は、その内側面１３がレセプタクル３の基部３２で止まり、こうしてその外側面１４が空いているように組み立てられる。図２Ｂで示されるように、一度コーディングリング１がレセプタクル３の周りに組み立てられると、前記コーディングリングは、ガイドノッチＰを回して選択した構造にするために、回転することができる。コーディングリングが、その収納部１２がレセプタクルの突出壁３０および３１の間に位置するような仕方で、位置付けされなければならないことに注目すべきである。レセプタクル３の突出壁３０の中に作られた位置決めノッチＲは、コーディングリングのＰ１からＰ８の位置を規定する。この位置決めノッチＲは、色の付いたノッチ、突出した半円、あるいはガイドノッチＰをを通して見ることのできる他のあらゆる印であることができる。
【００２４】
前に説明されるように、本発明のキーイングシステムは、図３に示されるようなプレート２を少なくとも一枚有する。本発明の好ましい実施態様において、本発明のキーイングシステムは、２ａおよび２ｂに参照される二枚のプレートを有する。これらのプレートは、例えば金属製あるいは熱可塑性の材料で作られ、全く同じ寸法である。それぞれの中心は、ネジのような固定手段を収納するために設計された、中心穴２１を有する。これらのプレート２ａおよび２ｂのそれぞれはまた、プレートの縁に平行な線に沿って、中心穴２１と一列に並ぶ、キーイングラグ２２ａ、２２ｂも有する。これらの二つのラグは、全く同じ寸法であり、そしてそれぞれコーディングリングのキーイング収納部１２の中に挿入されるように設計される。本発明によると、このラグ２２ａあるいは２２ｂは、プレート２ａおよび２ｂ上の穴２１に対して異なる位置に位置付けされる。より正確には、プレート２ｂのラグ２２ｂと穴２１との間の距離は、プレート２ａのラグ２２ａと穴２１との間の距離とは異なる。ラグと穴との間の距離におけるこの違いにより、プレートが選択した構造に合うように適合されることが可能になることが理解される。
【００２５】
本発明によると、これらのプレート２ａあるいは２ｂのうちの一枚は、図４に示されるように、プラグ４に取り付けられる。さらに正確には、該プレートは、プラグ４の外側壁４０の前部４１に取り付けられることができるが、接続ケーブルを収納するように設計された後部４２とは対照的に、前記前部４１は、レセプタクル３に収まるように設計された部分である。図４に示されるように、プレート２は、例えばネジなどの固定具５を用いて壁４０に取り付けられるが、該固定具は、壁４０の穴４３の中にねじ込まれるためにプレート２の穴２１を貫通するものである。
【００２６】
このプレート２は、プラグ４の一側面（右側面と左側面）につき二つの異なる位置に取り付けられることができる：
−第一の位置において、プレート２のラグ２２は、プラグ４に対して上方Ｈに向かって取り付けられる、そして
−第二の位置において、プレート２のラグ２２は、前記プラグ４に対して下方Ｂに向かって取り付けられる。
【００２７】
したがって、同じプレート２が、同じラグについて、一側面で二つの異なる位置を提供することができ、このことは四つの異なるコーディング、すなわち四つのキーイング構造を可能にする。本発明のシステムが、その好ましい実施態様において、異なるラグ位置をもつ二枚のプレートを有するので、前記システムはしたがって八つの異なるラグ位置、すなわち八つのキーイング構造を提供する。
【００２８】
図５Ａ、５Ｂ、５Ｃ、５Ｄ、５Ｅ、５Ｆ、５Ｇ、５Ｈ、および５Ｉは、本発明の好ましい実施態様によるシステムを用いて得られることができるさまざまなキーイング構造を示す。より正確には、図５Ａは、さまざまな構造を要約する表を示している。この表において、コーディングリングのガイドノッチの位置Ｐ１からＰ８の位置は縦列に示され、対してプレートラグの位置は横列に示されている。
【００２９】
コーディングリングが図１の配置Ａ（すなわち図１で示されるようにＰ１からＰ４が上方に向いている）にあるときの位置に相当する四つのガイドノッチの位置Ｐ１からＰ４はそれぞれ、プレート２ａあるいは２ｂのうちの一枚のラグ位置に対応している。例えば、図５Ｂで示されるように前記プレートが上方Ｈに向いているとき、ガイドノッチの位置Ｐ１は、図３における第二のプレートまたはプレート２ａのラグに対応する。図５Ｃで示されるように前記プレートが上方Ｈに向いているとき、ガイドノッチの位置Ｐ２は、図３における第一のプレートまたはプレート２ｂのラグに対応する。図５Ｄで示されるように前記プレートが下方Ｂに向いているとき、ガイドノッチの位置Ｐ３は、第一のプレート２ｂのラグに対応する。図５Ｅで示されるように前記プレートが下方Ｂに向いているとき、ガイドノッチの位置Ｐ４は、第二のプレート２ａのラグに対応する。
【００３０】
同様に、コーディングリングが配置Ａに対して１８０°回転した配置Ｂ（すなわちＰ１からＰ４が下方に向いている）にあるときの位置に相当する四つのガイドノッチの位置Ｐ５からＰ８はそれぞれ、プレート２ａあるいは２ｂのうちの一枚のラグ位置に対応している。例えば、図５Ｆで示されるように前記プレートが下方Ｂに向いているとき、ガイドノッチの位置Ｐ５は、第二のプレート２ａのラグに対応する。前記プレートが下方Ｂに向いているとき、ガイドノッチの位置Ｐ６は、第一のプレート２ｂのラグに対応する。図５Ｈで示されるように前記プレートが上方Ｈに向いているとき、ガイドノッチの位置Ｐ７は、第一のプレート２ｂのラグに対応する。前記プレートが上方Ｈに向いているとき、ガイドノッチの位置Ｐ８は、第二のプレート２ａのラグに対応する。
【００３１】
したがって、この表は、一つのコーディングリング１および二枚のプレート２ａおよび２ｂを有するキットから得られることができる、八つのキーイング構造を要約している。
【００３２】
図６Ａおよび６Ｂは、レセプタクル３へのプラグ４の組立の最中の、本発明のキーイングシステムを備えたコネクタを示している。図６Ａは、ラグが上方を向いた状態でプラグ４に取り付けられたプレート２と、配置Ａ（Ｐ１−Ｐ４が上方に向いている）でレセプタクル３の周りに組み立てられたコーディングリング１とを示している。プラグ４は、したがって、プレート２のラグ２２がコーディングリング１のキーイング収納部１２の中に挿入されるように、レセプタクル３の突出壁３０と３１との間に挿入される。もしプラグ４とレセプタクル３の間の接続が可能であれば、図６Ｂにおいて示されるように、前記プラグと前記レセプタクルはしたがって、例えば位置Ｐ１において、正確にコーディングされる。しかしながら、もし接続が可能でないならば、プラグとレセプタクルは、例えばプラグは位置Ｐ１そしてレセプタクルは位置Ｐ２のように、異なるコーディングシステムを利用してコーディングされたということになる。図６Ｂにおいて示されるように、ラグ２２は、収納部１２の中に正確に収納されており、このことは、レセプタクルとプラグが同じコーディグシステムにしたがってコーディングされていることを意味する。もしコーディングシステムがＰ１コーディングシステムならば、プラグ４上のプレート２は、図３で示されるような上方に向いているプレート２ａであり、そして、コーディングリング１は、ガイドノッチＰ１が位置決めノッチＲの下にくる、配置Ａにおいて組み立てられる。このコーディングリングとプレート２ａの配置の組合せのみが、プラグとレセプタクルとの間で成される接続を可能にする。
【００３３】
プラグをレセプタクルに組み立てるための別の例が、図７に示されている。この例において、コーディングシステムＰ３が、キーイング構造として選択されている。この場合、コーディングリング１は、レセプタクル３の上に配置Ａで組み立てられる。しかしながら、コーディングシステムＰ３が位置決めノッチＲの高さに現れるために、コーディングリングは、収納部１２が図６Ａにおいて示される前記収納部１２の位置に対して下方に移動するように、反時計回りにわずかに回転されている。この場合、プラグ４に取り付けられたプレートは、下方に向いたプレート２ｂである。
【００３４】
２枚のプレートと一つのコーディングリングを含むキットが８つの可能な構造を提供すること、そして３枚のプレートと一つのコーディングリングを含むキットが１２の構造を提供することができることなどを考慮すると、これまでに与えられた情報を鑑みて、単数あるいは複数のキーイングプレートと単数あるいは複数のコーディングリングとの組合せが、システムの範囲に合うように適合された多数のキーイングの組合せを提供することが、したがって推測される。これらのキットが既存のコネクタへの組立用に設計されることを考えれば、これらのキットは、いかなる電気システムへも容易に取り付けることができる。さらに、これらのキットは、八つの異なるキーイング構造に対して、注文するレファレンスの数を３つに制限するという利点を提供する。
【符号の説明】
【００３５】
１  コーディングリング
２  プレート
３  レセプタクル
４  プラグ
１１  壁
１２  キーイング収納部
１３  内側面
１４  外側面
２１  中心穴
２２  キーイングラグ
３０  突出壁
３１  突出壁
３２  基部
４０  外側壁
４１  前部
４２  後部
４３  穴
Ｐ  ガイドノッチ
【図１】
2013089605.tif 000003
【図２Ａ】
2013089605.tif 000004
【図２Ｂ】
2013089605.tif 000005
【図３】
2013089605.tif 000006
【図４】
2013089605.tif 000007
【図５Ａ】
2013089605.tif 000008
【図５Ｂ】
2013089605.tif 000009
【図５Ｃ】
2013089605.tif 000010
【図５Ｄ】
2013089605.tif 000011
【図５Ｅ】
2013089605.tif 000012
【図５Ｆ】
2013089605.tif 000013
【図５Ｇ】
2013089605.tif 000014
【図５Ｈ】
2013089605.tif 000015
【図５Ｉ】
2013089605.tif 000016
【図６Ａ】
2013089605.tif 000017
【図６Ｂ】
2013089605.tif 000018
【図７】
2013089605.tif 000019
【外国語明細書】
2013089605000001.pdf